(57)【要約】【課題】  必要に応じて大量の情報を表示させることができるマルチディスプレイ装置を提供する。【解決手段】  角度調整機構３０に上下方向に回動可能に取り付けられた第１ディスプレイ装置１０と、第２ディスプレイ装置２０と、第１ディスプレイ装置１０の非表示面と第２ディスプレイ装置２０の非表示面とが対向する未展開状態では、第１ディスプレイ装置１０及び第２ディスプレイ装置２０の各々に独立の画像を表示させ、第１ディスプレイ装置１０及び第２ディスプレイ装置２０の何れか一方が上下方向に回動された展開状態では、回動された第１ディスプレイ装置１０又は第２ディスプレイ装置２０に１８０度回転させた画像を表示させる表示制御装置４０とを備えた構成である。【選択図】        図１
2005037747.tif 000002
【特許請求の範囲】
【請求項１】
第１ディスプレイ装置及び前記第２ディスプレイ装置が回動可能に取り付けられ、前記第１ディスプレイ装置の表示面と前記第２ディスプレイ装置の表示面とがなす角度を調整する角度調整機構と、
前記第１ディスプレイ装置の表示面及び前記第２ディスプレイ装置の表示面を相対する両側からそれぞれ視認できるように前記角度が調整された未展開状態では、
前記第１ディスプレイ装置及び前記第２ディスプレイ装置の各々に独立の画像を表示させ、
前記第１ディスプレイ装置及び前記第２ディスプレイ装置の何れか一方を未展開状態から回動させた展開状態では、回動させた前記第１ディスプレイ装置又は前記第２ディスプレイ装置に前記独立の画像を１８０度回転させて表示させる表示制御装置とを備えたマルチディスプレイ装置。
【請求項２】
表示制御装置は、
展開状態では、第１ディスプレイ装置及び第２ディスプレイ装置に連続した画像を表示させることを特徴とする請求項１記載のマルチディスプレイ装置。
【請求項３】
表示制御装置は、
第１ディスプレイ装置又は第２ディスプレイ装置に表示されるべき画像を、前記第１ディスプレイ装置及び前記第２ディスプレイ装置に拡大して表示することを特徴とする請求項１または請求項２記載のマルチディスプレイ装置。
【請求項４】
角度調整機構は、第１ディスプレイ装置及び第２ディスプレイ装置を任意の角度で固定することを特徴とする請求項１から請求項３のうちのいずれか１項記載のマルチディスプレイ装置。
【請求項５】
第１ディスプレイ装置及び第２ディスプレイ装置を垂直軸に対して方位方向に回動可能に取り付けられ、前記第１ディスプレイ装置及び前記第２ディスプレイ装置の各表示面の方位方向の角度をそれぞれ独立して調整可能とする角度調整機構と、
前記角度調整機構により角度が調整された前記第１ディスプレイ装置及び前記第２ディスプレイ装置に画像を表示させる表示制御装置とを備えたマルチディスプレイ装置。
【発明の詳細な説明】
【技術分野】
【０００１】
この発明は、複数の画面を用いて種々の表示を行うマルチディスプレイ装置に関し、特に複数の画面を有効に利用する技術に関する。
【背景技術】
【０００２】
従来、複数の表示画面を備えたマルチディスプレイ装置として、２つの画面を有する両面画像表示装置が知られている（例えば、特許文献１参照）。この両面画像表示装置は、重ね合わされた２枚の薄型ディスプレイからなる表示装置と、薄型ディスプレイの各々に表示すべき画像データを制御転送する表示制御装置とを備えており、表示制御装置が２枚の薄型ディスプレイに対して供給する映像を選択して、画像を入れ換えることができる。
【０００３】
また、他のマルチディスプレイ装置として、薄型で、多くの画像を同時に表示することができる省電力のディスプレイ装置が知られている（例えば、特許文献２参照）。このディスプレイ装置は、表紙、中間表示体、裏表紙を綴じた液晶表示ディスプレイ装置であり。表紙及び裏表紙には第１ページ及び第４ページを構成するメモリ性液晶表示素子が設けられ、中間表示体にはその両面に第２ページ及び第３ページを構成するメモリ性液晶表示素子が設けられている。各ページは見開き状態に開かれたとき、開かれたページに外部機器から転送された画像データに基づく表示が行われる。
【０００４】
更に他のマルチディスプレイ装置として、携帯の便利さと使用時のディスプレイ画面の見やすさという２つの要請を同時に満たし得る携帯型液晶装置が知られている（例えば、特許文献３参照）。この携帯型液晶装置は、画面をそれぞれ表示できる複数のディスプレイから構成され、ユーザが、表示装置の画面を見るために、折り曲げ接続手段により、表示装置の右部分と左部分とを、中心線を中心に、「表示装置の全体をユーザがその手で支持し易いような又はユーザがその手の上に載置し易いような、且つ、ユーザが一つの大きな画面の右半分と左半分との双方を同時に見易いような角度」に折り曲げたとき、その「折り曲げた角度」で右部分と左部分とを互いに固定するための折り曲げ固定手段を備えている。
【０００５】
【特許文献１】特開平６−１２２２２号公報
【特許文献２】特開２０００−２９２７７７号公報
【特許文献３】特開２０００−２１７０４９号公報
【発明の開示】
【発明が解決しようとする課題】
【０００６】
ところで、ブラウザを用いてインターネットのＷＥＢサイトにアクセスし、ＷＥＢ画面を表示させる場合、ＷＥＢ画面がディスプレイ装置の１つの画面に収まらない場合が多い。例えば縦長の画像をＷＥＢ画像に表示させる場合、画像全体を表示させることができないことがある。このような場合は、例えば画面の右側に表示されるスクロールバーをマウスカーソルで掴んで画面全体を上下方向にスクロールさせることにより所望の情報を表示させている。
【０００７】
また、ディスプレイ装置の画面に表示される情報が文章である場合、先に記載されていた文章の内容を確認しようとすると、該当する部分が既に画面上から消失している場合もしばしば発生し、このような場合は画面を逆方向にスクロールする必要がある。従って、上下方向に大量の情報を表示させたい場合は操作性に劣るので改善が望まれている。
【０００８】
この発明は、上記要請に応えるためになされたものであり、第１の目的は、必要に応じて大量の情報を表示させることができるマルチディスプレイ装置を提供するものである。
【課題を解決するための手段】
【０００９】
この発明に係るマルチディスプレイ装置は、第１ディスプレイ装置及び第２ディスプレイ装置が回動可能に取り付けられ、第１ディスプレイ装置の表示面と第２ディスプレイ装置の表示面とがなす角度を調整する角度調整機構と、第１ディスプレイ装置の表示面及び第２ディスプレイ装置の表示面を相対する両側からそれぞれ視認できるように角度が調整された未展開状態では、第１ディスプレイ装置及び第２ディスプレイ装置の各々に独立の画像を表示させ、第１ディスプレイ装置の表示面及び第２ディスプレイ装置の何れか一方を未展開状態から回動させた展開状態では、回動させた第１ディスプレイ装置又は第２ディスプレイ装置に独立の画像を１８０度回転させて表示させる表示制御装置とを備えたものである。
【発明の効果】
【００１０】
この発明は、未展開状態から展開状態に設定可能に設けられた第１ディスプレイ装置及び第２ディスプレイ装置を備え、未展開状態では、第１及び第２ディスプレイ装置の各々に独立の画像を表示させ、展開状態では、展開された方のディスプレイ装置に１８０度回転させた画像を表示させるように構成したので、未展開状態では相対する方向から独立した画像を見ることができる１画面表示になり、展開状態では、片方向から２倍の情報を見ることができる２画面表示になる。従って、必要に応じて上下方向に大量の情報を表示させることができ、利用形態の多様化を図ることができる効果がある。
【発明を実施するための最良の形態】
【００１１】
以下、この発明の実施の形態を図面を参照しながら詳細に説明する。
実施の形態１．
図１は、この発明の実施の形態１に係るマルチディスプレイ装置の構造を概略的に示す外観斜視図である。このマルチディスプレイ装置は、第１ディスプレイ装置１０、第２ディスプレイ装置２０、これら第１ディスプレイ装置１０及び第２ディスプレイ装置２０を回動自在に保持する角度調整機構３０、表示制御装置４０及びケーブル４１から構成されている。
【００１２】
第１ディスプレイ装置１０は、例えば薄型の液晶ディスプレイ装置から構成されており、表示制御装置４０からケーブル４１を介して送られてくる画像データに従って画面Ａに種々の画像を表示する。この第１ディスプレイ装置１０のフレームの所定部位には、第１傾斜センサ１１が設けられている。この第１傾斜センサ１１は、第１ディスプレイ装置１０が角度調整機構３０を回転軸として図示矢印α方向に回動されて、画面Ａと水平面とのなす角が負の所定値になった時にオン信号を出力する。この第１傾斜センサ１１からオン信号が出力されている状態を、画面Ａが展開された状態と呼ぶ。
【００１３】
第２ディスプレイ装置２０は、例えば薄型の液晶ディスプレイ装置から構成されており、表示制御装置４０からケーブル４１を介して送られてくる画像データに従って画面Ｂ（図面上に現れてる非表示面の反対側の面）に種々の画像を表示する。この第２ディスプレイ装置２０のフレームの所定部位には、第２傾斜センサ２１が設けられている。この第２傾斜センサ２１は、第２ディスプレイ装置２０が角度調整機構３０を回転軸として図示矢印β方向に回動されて、画面Ｂと水平面とのなす角が負の所定値になった時にオン信号を出力する。この第２傾斜センサ２１からオン信号が出力されている状態を、画面Ｂが展開された状態という。
【００１４】
角度調整機構３０は、第１ディスプレイ装置１０を図示矢印α方向に回動させて任意の角度で固定すると共に、第２ディスプレイ装置２０を図示矢印β方向に回動させて任意の角度で固定することができるように構成されている（詳細は後述する）。この角度調整機構２０によって、第１ディスプレイ装置１０及び第２ディスプレイ装置２０が、第１傾斜センサ１１及び第２傾斜センサ２１の双方がオフになるような状態に設定された状態を未展開状態という。
【００１５】
図２及び図３は、角度調整機構３０の詳細な構造を示す図である。この角度調整機構３０は、円筒状のディスプレイ取付軸１０１、このディスプレイ取付軸１０１に挿入された回転中心軸１０２、この回転中心軸１０２の外側に勘合させ、先端部に該回転中心軸を挟持するチャック片１０３ａ，１０３ｂを有するチャック部材１０３、このチャック部材１０３の後端に固着された押釦１０４、ディスプレイ取付軸１０１の内側面に固着された位置決め突起１０１ａ，１０１ｂ、この位置決め突起１０１ａ，１０１ｂ間に配置されたバネ１０７およびディスプレイ取付軸１０１の内側面に固着され、チャック部材１０３の動きに応じてチャック片１０３ａ，１０３ｂを動作させるガイド部材１０５、チャック部材１０３の動きに応じてバネ１０７を圧縮するように該チャック部材の外面に固着したバネ受け突起１０３ｃ、１０３ｄとから構成されている。
【００１６】
押釦１０４は、図３に示すように、ディスプレイ取付軸１０１の内側面に形成された凹部と押釦１０４の外側面に形成された凸部とから成る嵌合部１８によって、ディスプレイ取付軸１０１に対する回転が不可能に構成されている。また、チャック片１０３ａ及びチャック片１０３ｂはガイド部材１０５から解放されると、外方向（回転中心軸１０２から離間する方向）に湾曲するようになっている。
【００１７】
以上のように構成される角度調整機構３０は、押釦１０４が押し込まれていない状態では、図２に示すように、チャック部材１０３及び押釦１０４がバネ１０７の付勢力により図中左側に移動されることにより、チャック部材１０３の先端部に設けられたチャック片１０３ａ及びチャック片１０３ｂがガイド部材１０５によって回転中心軸１０２に押圧される。その結果、ディスプレイ取付軸１０１は回転中心軸１０２に固定され、第１ディスプレイ装置１０を所定角度に設定できるようになっている。
【００１８】
一方、押釦１０４が押し込まれた状態では、図３に示すように、チャック部材１０３がバネ受け突起１０３ｃ，１０３ｄでバネ１０７を圧縮しながら図中右側に移動されることにより、チャック部材１０３の先端部に設けられたチャック片１０３ａ及びチャック片１０３ｂがガイド部材１０５による押圧から開放される。その結果、ディスプレイ取付軸１０１は回転中心軸１０２から開放されて回動自在になる。この状態で、第１ディスプレイ装置１０を任意の角度に回動させることができる。第１ディスプレイ装置１０を所望の角度に調整した後に押釦１０４の押圧を解除することにより、チャック部材１０３が図２の位置にバネ１０７の復元力で戻り、第１ディスプレイ装置１０をその角度で固定できる。
【００１９】
図２及び図３に示した角度調整機構３０の構造は、回転中心軸１０２の左側半分に設けられて第１ディスプレイ装置１０を取り付けるために使用される。図示は省略するが、上記と対称的な構造が回転中心軸１０２の右側半分に設けられ、第２ディスプレイ装置２０を取り付けらるために使用される。これにより、第１ディスプレイ装置１０及び第２ディスプレイ装置２０を回転中心軸１０２に対して任意の角度に固定させることができる。
【００２０】
角度調整機構３０は、上述した構造に限らず他の構造によって構成することもできる。図４は、他の構造を有する角度調整機構３０を示す。この他の構造を有する角度調整機構３０は、回転中心軸１１２が挿入される円筒状のディスプレイ取付軸１１１と、回転中心軸１１２の表面から突出するように設けられたチャック部材１１３と、チャック部材１１３を回転中心軸１１２の表面から突出する方向に付勢するバネ１１４とから構成されている。
【００２１】
この他の構造を有する角度調整機構３０によれば、チャック部材１１３がバネ１１４によってディスプレイ取付軸１１１の内側面に押圧されることにより生じる摩擦力により第１ディスプレイ装置１０を任意の角度で固定することができる。なお、ディスプレイ取付軸１１１の内側面に、チャック部材１１３の突起部に嵌合する複数の凹部を設けるように構成することもできる。この構成によれば、第１ディスプレイ装置１０の固定を、より確実に行うことができる。
【００２２】
なお、図４に示した角度調整機構３０の構造は、回転中心軸１１２の左側半分に設けられて第１ディスプレイ装置１０を取り付けるために使用される。図示は省略するが、上記と対称的な構造が回転中心軸１１２の右側半分に設けられ、第２ディスプレイ装置２０を取り付けらるために使用される。これにより、第１ディスプレイ装置１０及び第２ディスプレイ装置２０を回転中心軸１１２に対して任意の角度に固定することができる。
【００２３】
次に、表示制御装置４０について説明する。図５は、表示制御装置４０の電気的な構成を示すブロック図である。この表示制御装置４０は、ビデオキャプチャ５０、ビデオメモリ５１、ビデオメモリコントローラ５２、ビデオコントローラ５３及び記憶装置５４から構成されている。
【００２４】
ビデオキャプチャ５０は、図示しない映像機器やインターネットのＷＥＢサイトから送られてくる映像ソースａ、ａ’、ｂ、ｂ’・・・を取り込んでビデオメモリ５１に格納すると共に、映像ソースａ、ａ’、ｂ、ｂ’・・・のビデオメモリ５１内での格納位置を示す保存先アドレスをビデオメモリコントローラ５２に送る。
【００２５】
ビデオメモリコントローラ５２は、ビデオキャプチャ５０から受け取った保存先アドレスを記憶装置５４に送る。記憶装置５４は、ビデオメモリコントローラ５２から受け取った保存先アドレスを記憶する。また、ビデオメモリコントローラ５２は、ビデオコントローラ５３から送られてくる表示要求に応答して、記憶装置５４から保存先アドレスを読み出す。表示要求には、映像ソースの指定及び出力先のディスプレイ装置のアドレスが含まれる。そして、ビデオメモリコントローラ５２は、記憶装置５４から読み出した保存先アドレスに基づいて、ビデオメモリ５１に保存されている映像ソースに、読み出す順番にアドレスを付加する。
【００２６】
ビデオコントローラ５３は、ビデオメモリ５１から読み出された映像ソース（画像データ）を、出力先として指定された第１ディスプレイ装置１０及び／又は第２ディスプレイ装置２０に送る。
【００２７】
次に、上述したように構成される、この発明の実施の形態１に係るマルチディスプレイ装置の動作を図６に示すフローチャートを参照しながら説明する。なお、このマルチディスプレイ装置は、展開状態で画面Ａ及び画面Ｂに連続した内容を表示する連続画面モードという動作モードを備えており、この場合に何れの画面を上側に表示するかを外部から指定できるようになっている。
【００２８】
ビデオコントローラ５３は、先ず、画面Ａが展開されているかどうかを調べる（ステップＳＴ１０）。具体的には、ビデオコントローラ５３は、第１ディスプレイ装置１０に設けられている第１傾斜センサ１１からの信号を取り込み、オン信号であるかどうかを調べる。ここで、第１傾斜センサ１１からオン信号が出力されている、つまり画面Ａが展開されていることが判断されると、次いで、ビデオコントローラ５３は、画面Ｂが展開されているかどうかを調べる（ステップＳＴ１１）。具体的には、ビデオコントローラ５３は、第２ディスプレイ装置２０に設けられている第２傾斜センサ２１からの信号を取り込み、オン信号であるかどうかを調べる。
【００２９】
このステップＳＴ１１で、画面Ｂが展開されていないことが判断されると、未展開状態であることが認識され、両画面表示が行われる（ステップＳＴ１２）。即ち、図７（Ａ）に示すように、実線で示される第１ディスプレイ装置１０の画面Ａと実線で示される第２ディスプレイ装置２０の画面Ｂとが背中合わせされた状態に設定されているものと判断され、画面Ａ及び画面Ｂには、例えば図７（Ｂ）及び図７（Ｃ）にそれぞれ示すように、正立の独立した画像が表示される。従って、ユーザは両側から独立した画像（同一の画像であるか異なる画像であるかを問わない）を見ることができる。
【００３０】
上記ステップＳＴ１１で、画面Ｂが展開されていることが判断された場合は、図７（Ａ）に示すように、実線で示される第１ディスプレイ装置１０の画面Ａと破線で示される第２ディスプレイ装置２０の画面Ｂとが一方向Ｘから見ることができる状態に設定されていると判断される。この場合、仮に何らの処理もなされないとすれば、図８（Ａ）に示すように、画面Ａには正立の画像が表示されるが、画面Ｂには倒立の画像が表示されることになる。
【００３１】
ビデオコントローラ５３は、画面Ｂが展開されていることが判断されると、次いで、当該マルチディスプレイ装置の動作モードが連続画面モードに設定されているかどうかを調べる（ステップＳＴ１３）。ここで、連続画面モードに設定されていないことが判断されると、ビデオコントローラ５３は、画面Ｂに表示されるべき内容を１８０度回転させて表示する（ステップＳＴ１４）。これにより、図８（Ｂ）に示すように、画面Ａ及び画面Ｂには正立の画像がそれぞれ表示される。従って、ユーザは、独立した２つの画像を同時に見ることができる。
【００３２】
上記ステップＳＴ１３で、連続画面モードに設定されていることが判断されると、ビデオコントローラ５３は、次いで、画面Ａを上側に表示するように指定されているかどうかを調べる（ステップＳＴ１５）。ここで、画面Ａを上側に表示するように指定されていることが判断されると、画面Ｂに画面Ａの次画面を表示する（ステップＳＴ１６）。この際、画面Ｂには、画面Ａの次画面が１８０度反転されて表示される。これにより、図８（Ｃ）に示すように、画面Ｂには正立の次画面の画像が表示されるので、ユーザは、画面Ａと画面Ｂとに表示された独立した１つの画像を見ることができる。従って、画面に表示される画像が縦長の画像であっても画像全体を表示させることができ、また、画面に表示される情報が文章である場合に、逆方向にスクロールすることなく先に記載されていた文章を見ることができる。
【００３３】
上記ステップＳＴ１５で、画面Ａを上側に表示するように指定されていないことが判断されると、ビデオコントローラ５３は、画面Ｂを拡大して表示する（ステップＳＴ１７）。具体的には、画面Ｂに表示されるべき内容の上側半分が画面Ａに移動されて上下方向に２倍に拡大されて画面Ａに表示され、下側半分が２倍に拡大され、更に１８０度回転されて画面Ｂに表示される。これにより、図８（Ｄ）に示すように、ユーザは、画面Ａと画面Ｂとに表示された、上下方向に拡大された１つの画像を見ることができる。
【００３４】
なお、このステップＳＴ１７では画面Ｂの拡大表示を行うように構成したが、画面Ｂに表示されるべき内容を画面Ａに表示し、画面Ｂの次画面に表示されるべき内容を画面Ｂに表示するように構成できる。
【００３５】
上記ステップＳＴ１０で、画面Ａが展開されていることが判断されると、図９（Ａ）に示すように、破線で示される第１ディスプレイ装置１０の画面Ａと実線で示される第２ディスプレイ装置２０の画面Ｂとが一方向Ｙから見ることができる状態に設定されていると判断される。この場合、仮に何らの処理もなされないとすれば、図９（Ｂ）に示すように、画面Ｂには正立の画像が表示されるが、画面Ａには倒立の画像が表示されることになる。
【００３６】
ビデオコントローラ５３は、画面Ａが展開されていることが判断されると、次いで、当該マルチディスプレイ装置の動作モードが連続画面モードに設定されているかどうかを調べる（ステップＳＴ１８）。ここで、連続画面モードに設定されていないことが判断されると、ビデオコントローラ５３は、画面Ａに表示されるべき内容を１８０度回転させて表示する（ステップＳＴ１９）。これにより、図９（Ｃ）に示すように、画面Ｂ及び画面Ａには正立の画像がそれぞれ表示される。従って、ユーザは、独立した２つの画像を同時に見ることができる。
【００３７】
上記ステップＳＴ１８で、連続画面モードに設定されていることが判断されると、ビデオコントローラ５３は、次いで、画面Ｂを上側に表示するように指定されているかどうかを調べる（ステップＳＴ２０）。ここで、画面Ｂを上側に表示するように指定されていないことが判断されると、画面Ａに表示されるべき内容を画面Ｂに表示する（ステップＳＴ２１）。この際、画面Ｂには、画面Ａに表示されるべき内容が１８０度反転されて表示される。次いで、ビデオコントローラ５３は、画面Ａの次画面に表示されるべき内容を画面Ａに表示する（ステップＳＴ２２）。この際、画面Ａには、画面Ａの次画面に表示されるべき内容が１８０度反転されて表示される。これにより、図９（Ｅ）に示すように、画面Ａ及び画面Ｂには、画面Ａ及びその次画面に表示されるべき内容がそれぞれ表示されるので、ユーザは、画面Ａと画面Ｂとに表示された独立した１つの画像を見ることができる。従って、画面に表示される画像が縦長の画像であっても画像全体を表示させることができ、また、画面に表示される情報が文章である場合に、逆方向にスクロールすることなく先に記載されていた文章を見ることができる。
【００３８】
上記ステップＳＴ２０で、画面Ｂを上側に表示するように指定されていることが判断されると、ビデオコントローラ５３は、画面Ｂを拡大して表示する（ステップＳＴ２３）。具体的には、画面Ｂに表示されるべき内容の下側半分が画面Ａに移動されて上下方向に２倍に拡大され、更に１８０度回転されて画面Ａに表示される。また、画面Ｂに表示されるべき内容の上側半分が２倍に拡大されて画面Ｂに表示される。これにより、図９（Ｄ）に示すように、ユーザは、画面Ａと画面Ｂとに表示された、上下方向に拡大された１つの画像を見ることができる。
【００３９】
なお、このステップＳＴ２３では画面Ｂの拡大表示を行うように構成したが、画面Ｂに表示されるべき内容は画面Ｂにそのまま表示し、画面Ｂの次画面に表示されるべき内容を画面Ａに表示するように構成できる。
【００４０】
以上説明したように、この発明の実施の形態１に係るマルチディスプレイ装置によれば、未展開状態では、第１ディスプレイ装置１０の画面Ａ及び第２ディスプレイ装置２０の画面Ｂには独立の画像をそれぞれ表示させ、展開状態では、展開された方のディスプレイ装置の画面に１８０度回転させた画像を表示させるように構成したので、未展開状態では相対する方向から独立した画像を見ることができる１画面表示になり、展開状態では、片方向から２倍の情報を見ることができる２画面表示になる。従って、必要に応じて上下方向に大量の情報を表示させることができる。
【００４１】
実施の形態２．
上述した実施の形態１に係るマルチディスプレイ装置では、第１ディスプレイ装置１０と第２ディスプレイ装置２０とを上下方向に展開して所望の角度で固定するように構成したが、この実施の形態２に係るマルチディスプレイ装置は、第１ディスプレイ装置１０と第２ディスプレイ装置２０とを左右方向に回動させて所望の角度で固定するように構成したものである。
【００４２】
図１０は、この発明の実施の形態２に係るマルチディスプレイ装置の構成を概略的に示す図である。このマルチディスプレイ装置は、実施の形態１に係る角度調整機構３０を縦方向に配置し、第１ディスプレイ装置１０及び第２ディスプレイ装置２０を、それらの画面Ａ及び画面Ｂの略中心を通る中心線Ｃ部分で角度調整機構３０に取り付けることにより構成されている。
【００４３】
第１ディスプレイ装置１０及び第２ディスプレイ装置２０には、図示しない表示制御装置から画面映像データが供給される。表示制御装置は、実施の形態１に係る表示制御装置４０と同様の構成を有するものを採用できる。但し、画面Ａ又は画面Ｂに表示されるべき画像を１８０度回転させる処理は行わない。
【００４４】
この発明の実施の形態２に係るマルチディスプレイ装置によれば、ユーザが画面を見る方位方向の角度を任意に設定できるので、マルチディスプレイ装置の利用形態の多様化を図ることができる。
【図面の簡単な説明】
【００４５】
【図１】この発明の実施の形態１に係るマルチディスプレイ装置の構造を概略的に示す外観斜視図である。
【図２】この発明の実施の形態１に係るマルチディスプレイ装置で使用される角度調整機構の詳細な構造であって、ロック状態を示す図である。
【図３】この発明の実施の形態１に係るマルチディスプレイ装置で使用される角度調整機構の詳細な構造であって、ロック解除状態を示す図である。
【図４】この発明の実施の形態１に係るマルチディスプレイ装置で使用される角度調整機構の他の構造を示す図である。
【図５】この発明の実施の形態１に係るマルチディスプレイ装置で使用される表示制御装置の電気的な構成を示すブロック図である。
【図６】この発明の実施の形態１に係るマルチディスプレイ装置の動作を説明するためのフローチャートである。
【図７】この発明の実施の形態１に係るマルチディスプレイ装置で画面Ｂを展開した場合の動作を説明するための図（その１）である。
【図８】この発明の実施の形態１に係るマルチディスプレイ装置で画面Ｂを展開した場合の動作を説明するための図（その２）である。
【図９】この発明の実施の形態１に係るマルチディスプレイ装置で画面Ａを展開した場合の動作を説明するための図である。
【図１０】この発明の実施の形態２に係るマルチディスプレイ装置の構成を示す図である。
【符号の説明】
【００４６】
１０  第１ディスプレイ装置、１１  第１傾斜センサ、２０  第２ディスプレイ装置、２１  第２傾斜センサ、３０  角度調整機構、４０  表示制御装置、４１  ケーブル、５０  ビデオキャプチャ、５１  ビデオメモリ、５２  ビデオメモリコントローラ、５３  ビデオコントローラ、５４  記憶装置、１０１，１１１  ディスプレイ取付軸、１０１ａ，１０１ｂ  位置決め突起、１０２，１１２  回転中心軸、１０３，１１３  チャック部材、１０３ａ  チャック片、１０３ｂ  チャック片、１０３ｃ，１０３ｄ  バネ受け突起、１０４  押釦、１０５  ガイド部材、１０７，１１４  バネ。
【図１】
2005037747.tif 000003
【図２】
2005037747.tif 000004
【図３】
2005037747.tif 000005
【図４】
2005037747.tif 000006
【図５】
2005037747.tif 000007
【図６】
2005037747.tif 000008
【図７】
2005037747.tif 000009
【図８】
2005037747.tif 000010
【図９】
2005037747.tif 000011
【図１０】
2005037747.tif 000012